(57)【要約】【課題】検知領域の隅部近傍で互いに隣り合う導光体を連続的に配置でき、装置全体のサイズを小さく保つことができる位置検知装置を提供する。【解決手段】タッチセンサ装置２４は、導光体６００の光射出面６１２ａから光を射出して表示面２２を照明する。そして、表示面２２に照明された光を受光する受光部３１０，３２０，３３０，３４０の受光量の低下に基づいて、表示面２２内に存在するペン形入力装置１００のペン先１００Ａの位置を検知するものである。加えて、導光体６００で導かれる光線６０３の光源６６２は、導光体６００の長手方向の略中央に配置され、導光体６００は、光源６６２から入射した光を長手方向の端部に向けて全反射する反射面６１０が設けられている。【選択図】図１０
2018142142.tif 000002
【特許請求の範囲】
【請求項１】
導光体の側面から光を射出して検知領域を照明し、前記検知領域に照明された光を受光する受光手段の受光量の低下に基づいて、前記検知領域の内に存在する検知対象物の位置を検知する位置検知装置において、
前記導光体で導かれる光の光源は、前記導光体により導かれる光の導光方向に沿った長手方向の略中央に配置されており、
前記導光体は、前記光源から入射した光を前記長手方向の端部に向けて全反射する反射面が設けられていることを特徴とする位置検知装置。
【請求項２】
請求項１に記載の位置検知装置において、
前記導光体の前記長手方向の前記反射面が設けられた領域には、前記光源から入射した光が略直交して透過する透過面が形成されていることを特徴とする位置検知装置。
【請求項３】
請求項２に記載の位置検知装置において、
前記透過面は、前記検知領域に光を射出して照明する前記導光体の側面と同一面上にあり、前記反射面に直交する前記導光体の少なくとも一方の側面と前記反射面を設けた領域との間に形成されていることを特徴とする位置検知装置。
【請求項４】
請求項１に記載の位置検知装置において、
前記反射面の一部に、前記光源から入射した光を透過する透過部が形成されていることを特徴とする位置検知装置。
【請求項５】
請求項４に記載の位置検知装置において、
前記反射面に形成された前記透過部は、前記反射面の一部の表面への拡散材印刷により形成されていることを特徴とする位置検知装置。
【請求項６】
請求項４に記載の位置検知装置において、
前記反射面に形成された前記透過部は、前記反射面の一部の表面を粗くすることで形成されていることを特徴とする位置検知装置。
【請求項７】
請求項４に記載の位置検知装置において、
前記反射面に形成された前記透過部は、前記反射面の一部に、前記光源から入射した光が略直交する形状部が形成されていることを特徴とする位置検知装置。
【請求項８】
画像を表示する表示部と、該表示部上の任意の位置を指す検知対象物の位置座標を検知する位置検知手段と、を備える画像表示装置において、
前記位置検知手段として、請求項１乃至７のいずれか一に記載の位置検知装置を備えることを特徴とする画像表示装置。
【請求項９】
光源の光を導光する導光方向に沿った長手方向の側面から、導光した光を射出して照明対象を照明する導光体において、
前記光源は、前記長手方向の略中央に配置されており、
前記光源から入射した光を前記長手方向の端部に向けて全反射する反射面が設けられていることを特徴とする導光体。
【発明の詳細な説明】
【技術分野】
【０００１】
本発明は、位置検知装置、画像表示装置及び導光体に関するものである。
【背景技術】
【０００２】
従来から、導光体の側面から光を射出して検知領域を照明し、その照明光を受光する受光手段の受光量の低下に基づいて当該検知領域内に存在する検知対象物の位置を検知する位置検知装置が知られている。
【０００３】
例えば、特許文献１には、画像表示装置(光学式タッチパネル)の検知領域（表示面）上にユーザーが指やスタイラス等の検知対象物で触れた位置を光学的に検知する位置検知装置が記載されている。この位置検知装置では、矩形状の表示面の外周縁に沿って長尺な導光体（ライトガイド）が配置され、その導光体の一端部から入射される光源からの光が導光体の内部を導光体の長手方向すなわち表示面の外周縁に沿って進む。
導光体に入射した光は、導光体の周面から漏れ出て、表示面に沿って進み、表示面の外縁隅部に配置されている２つの受光手段（光検出器）に入射する。ユーザーが指やスタイラスで表示面上に触れて光が遮られると、これによる受光量の低下が２つの受光手段によって検出され、その検出結果からユーザーの指示位置の二次元位置が検知される。
【発明の概要】
【発明が解決しようとする課題】
【０００４】
しかしながら、一般に矩形状の形状をした検知領域の隅部近傍では、交差する各辺に沿って設けた導光体の光源や照明光を受光するカメラ等の受光手段の設置スペースを確保するため、次のような問題が生じるおそれがあった。
矩形状の検知領域の隅部近傍で互いに隣り合う導光体を連続的に配置できず、装置全体のサイズを小さく保つことが困難であった。特に、検知領域のサイズが大きくなると、装置全体のサイズの大型化に繋がってしまう。
【課題を解決するための手段】
【０００５】
上述した課題を解決するために、請求項１に記載の発明は、導光体の側面から光を射出して検知領域を照明し、前記検知領域に照明された光を受光する受光手段の受光量の低下に基づいて、前記検知領域内に存在する検知対象物の位置を検知する位置検知装置において、前記導光体で導かれる光の光源は、前記導光体により導かれる光の導光方向に沿った長手方向の略中央に配置されており、前記導光体は、前記光源から入射した光を前記長手方向の端部に向けて全反射する反射面が設けられていることを特徴とする。
【発明の効果】
【０００６】
本発明によれば、検知領域の隅部近傍で互いに隣り合う導光体を連続的に配置でき、装置全体のサイズを小さく保つことができる位置検知装置を提供できる。
【図面の簡単な説明】
【０００７】
【図１】一実施形態に係る電子情報ボードの外観を示す斜視図。
【図２】一実施形態に係る電子情報ボードのハードウェア構成を示す構成図。
【図３】一実施形態に係る電子情報ボードの構成を模式的に示す図。
【図４】一実施形態に係る電子情報ボードの制御系を示すブロック図。
【図５】一実施形態に係る電子情報ボードのコントローラの構成を示すブロック図。
【図６】電子情報ボードに使用されるタッチセンサ装置の構成を示す模式図。
【図７】非発光検知対象物として用いたペン形入力装置が表示面上に接しているときのタッチセンサ装置の各受光部における受光状態の一例を示すグラフ。
【図８】従来型のタッチセンサ装置の発光部に備える導光体の側面からの光の射出領域が途切れ、検知領域外縁部の小型化が困難な理由の説明図。
【図９】一実施形態に係る発光部を構成する導光体の入光部の拡大説明図。
【図１０】導光体の内部を進行する光線の進路の説明図。
【図１１】入光部に設けられた反射面近傍の説明図。
【図１２】一実施形態に係る発光部の導光体を連続させ、タッチセンサ装置を小型化できる理由の説明図。
【図１３】導光体の長手方向の反射面を設けた領域の一部に、光源から入射した光線の一部を透過させる別例の説明図。
【発明を実施するための形態】
【０００８】
以下、本発明に係る位置検知装置を、画像表示装置としての電子情報ボードに適用した一実施形態について説明する。
ここで、位置検知装置としは、本実施形態の画像表示装置のように、インタラクティブ・ホワイトボード（Interactive White board：ＩＷＢ）等の電子情報ボードに限られず、他の画像表示装置にも適用可能である。なお、画像表示装置には、画像情報に基づく画像が表示される表示面を備えたものに限らず、筆記具を用いて描かれる画像を表示する筆記面を備えたホワイトボードなども含まれる。また、本発明に係る位置検知装置は、画像表示装置以外の装置にも適用可能である。
【０００９】
図１は、本実施形態に係る電子情報ボード１０の外観を示す斜視図である。
本実施形態に係る電子情報ボード１０は、図１に示すように、画像表示部材としてのディスプレイ２０と、このディスプレイ２０を立てた状態に保持する支持部材としてのスタンド４０と、ディスプレイ２０を駆動する機器などを収納する機器収納部５０とを備える。ディスプレイ２０は、液晶パネルやプラズマパネル等のフラットパネルから構成される。また、ディスプレイ２０の筐体前面には画像を表示する表示面２２が形成され、表示面２２には位置検知装置であるタッチセンサ装置２４が配置されている。
【００１０】
電子情報ボード１０は、表示面２２上に接触又は近接するユーザーの指やスタイラス等のペン形入力装置１００などの検知対象物の位置をタッチセンサ装置２４により光学的に検知する。ディスプレイ２０は、タッチセンサ装置２４により検知された検知対象物の位置や、位置の時間変化（動き）等に応じて、表示面２２の表示制御を実行する。例えば、表示面２２上の指やペン形入力装置１００の位置に画像を表示して、その軌跡によって描かれる文字や図形等を表示面２２上に表示させる表示制御を行う。また、例えば、表示面２２上の指やペン形入力装置１００の位置や動きに応じて、表示面２２上に表示されている画像の移動、回転、切り替え、拡大や縮小などの表示制御を行う。
【００１１】
ペン形入力装置１００は、ペン先１００Ａに接触検知手段を備えている。また、ペン先１００Ａには、ペン先１００Ａが接触する表示面２２上の位置と、ユーザーの指が接触する表示面２２上の位置とを、互いに区別して検知するときに用いる発光手段としての発光素子が設けられている。この発光素子は、接触検知手段によりペン先１００Ａが表示面２２に接触したことが検知されたときに発光し、検知されていないときには発光しないように制御される。ペン先１００Ａの発光素子から発せられる光がタッチセンサ装置２４の受光部に受光されることで、ペン先１００Ａが接している位置がタッチセンサ装置２４に検知される。
【００１２】
また、ペン形入力装置１００は、接触検知手段によりペン先１００Ａが表示面２２に接触したことが検知されたとき、筆記検知信号を無線信号として送信する。ディスプレイ２０は、ペン形入力装置１００から送信された筆記検知信号を受信したときに、タッチセンサ装置２４により検知されたペン形入力装置１００のペン先１００Ａの接触位置に応じて、文字や図形等を表示面２２上に表示させる表示制御などを実行する。
【００１３】
ペン先１００Ａに設けられる接触検知手段は、ペン先１００Ａが表示面２２に接触したか否かを検知できるものでもよいが、感圧センサのように接触圧力の大きさを複数段階で検知できるものであってもよい。後者の接触検知手段の場合、その検出値（接触圧力）に応じて、ペン先１００Ａの発光素子の発光量を変化させたり、異なる筆記検知信号を送信したりすることにより、当該検知位置に表示させる画像の大きさ（太さ）を変更するなどの表示制御を実行することが可能となる。この場合、ペン先１００Ａの接触圧力の違いによって、表示される文字や図形の線の太さを変化させることなどが可能となる。
【００１４】
また、ペン形入力装置１００は、ペン尻１００Ｂにも、ペン先１００Ａが接触する表示面２２上の位置と、ユーザーの指が接触する表示面２２上の位置とを、互いに区別して検知するときに用いる発光手段としての発光素子と、接触検知手段が設けられている。この発光素子も、その接触検知手段によりペン尻１００Ｂが表示面２２に接触したことが検知されたときに発光し、検知されていないときには発光しないように制御される。ペン尻１００Ｂの発光素子から発せられる光がタッチセンサ装置２４の受光手段に受光されることで、ペン形入力装置１００のペン尻１００Ｂが接している位置が検知される。
【００１５】
また、ペン形入力装置１００は、接触検知手段によりペン尻１００Ｂが表示面２２に接触したことが検知されると、消去検知信号を無線信号として送信する。ディスプレイ２０は、ペン形入力装置１００から送信された消去検知信号を受信したときに、タッチセンサ装置２４により検知されたペン形入力装置１００のペン尻１００Ｂの接触位置に応じて、そこに表示されている文字や図形等（先にペン先１００Ａの接触位置に応じて表示した文字や図形等）を表示面２２から消去する表示制御を実行する。
【００１６】
また、ペン形入力装置１００は、駆動用の電池と発光素子との間に所定の昇圧回路を組み込む等により、その発光量を一定に維持しており、電池残量が既定値以下になった場合は発光しないようにしている。また、ペン先１００Ａやペン尻１００Ｂに配置される発光素子には、例えば赤外線ＬＥＤを用いることができる。
【００１７】
機器収納部５０には、例えば、コンピュータ等で構成されるコントローラ、画像形成装置であるプリンタ、映像再生機器などの各種機器が収納されている。また、機器収納部５０の上面には、ユーザーの入力操作を受け付ける操作受付手段としてのキーボード３０が搭載されている。
【００１８】
図２は、本実施形態に係る電子情報ボードのハードウェア構成を示す構成図である。
電子情報ボード１０は、図２に示すように、上述したディスプレイ２０、タッチセンサ装置２４、キーボード３０の他、ＣＰＵ（Central Processing Unit）７０１、ＲＯＭ（Read Only Memory）７０２、ＲＡＭ（Random Access Memory）７０３、ＨＤＤ（Hard Disc Drive）７０４、ＨＤＣ(Hard Disk Controller)７０５、メディアドライブ７０７、インターフェース（I/F）７０８、マウス７０９、マイク７１０、スピーカ７１１、ＧＰＵ(Graphics Processing Unit)７１２を、拡張バスライン７２０で接続して構成される。
【００１９】
ＣＰＵ７０１は、電子情報ボード１０の全体動作を制御する。ＲＯＭ７０２は、ＩＰＬ等のＣＰＵ７０１の駆動に用いられるプログラムを記憶している。ＲＡＭ７０３は、ＣＰＵ７０１のワークエリアとして使用される。ＨＤＤ７０４は、プログラムや各種データを記憶している。ＨＤＣ７０５は、ＣＰＵ７０１の制御に従ってＨＤＤ７０４に対する各種データの読み出し又は書き込みを制御する。メディアドライブ７０７は、フラッシュメモリ等の記録メディア７０６に対するデータの読み出し又は書き込み（記憶）を制御する。Ｉ／Ｆ７０８は、通信ネットワークを介してデータの送受信を行う。ＧＰＵ７１２には、ＧＰＵ７１２の駆動に用いられるプログラムを記憶したＲＯＭ７１３、ＧＰＵ７１２のワークエリアとして使用されるＲＡＭ７１４が接続されている。拡張バスライン７２０は、上記各構成要素を電気的に接続するためのアドレスバスやデータバス等を備える。
【００２０】
図３は、本実施形態に係る電子情報ボード１０の構成を模式的に示す図である。
図４は、本実施形態に係る電子情報ボード１０の制御系を示すブロック図である。
ディスプレイ２０は、コントローラ６０により制御されており、入力操作される各種の画面操作部２６やユーザＰＣ（Personal Computer）９０から取り込まれた画像を表示面２２に表示する。また、コントローラ６０は、ＵＳＢ（Universal Serial Bus）ケーブル７０が接続されるＵＳＢソケット７２、ＶＧＡ（Video Graphics Array）ケーブル８０が接続される入力ソケット８２を備える。図３及び図４で示した例では、入力ソケット８２は、ＶＧＡケーブルに対応しているとしたが、入力ソケット８２は、ＨＤＭＩ（登録商標）（High-Definition Multimedia Interface）、ＤｉｓｐｌａｙＰｏｒｔ等他の規格の入力ケーブルが接続するものとできる。
【００２１】
ユーザＰＣ９０は、磁気ディスク装置などからなるストレージ９４を有する。ストレージ９４には、各種コンテンツ及びコンテンツ表示用アプリケーションソフトウェアなどのプログラムが格納されている。そして、ユーザーは、ストレージ９４に格納されたコンテンツの中から所望のコンテンツを選択することで、モニター９２に当該コンテンツを表示させる。コントローラ６０は、ユーザＰＣ９０のモニター９２に表示された画像データがＵＳＢケーブル７０やＶＧＡケーブル８０を介して転送されると、ディスプレイ２０のユーザＰＣ画面２８に、モニター９２に表示された画像データと同じ画像を表示する。
【００２２】
また、コントローラ６０は、光ファイバなどの通信回線２０１及びネットワークソケット２０２を介してインターネット又はＬＡＮ（Local Area Network）等のネットワーク２０４にも接続される。
【００２３】
図５は、本実施形態に係る電子情報ボード１０のコントローラ６０の構成を示すブロック図である。
電子情報ボード１０のコントローラ６０は、ペン信号受信部２１０と、コントローラオペレーションシステム部２２０と、アプリケーション部２３０と、映像入力デバイス部２４０と、ドライバ部２５０とを有する。また、アプリケーション部２３０は、イベント信号判断部２３１と、映像入力処理部２３２と、画像描画処理部２３４と、画面消去処理部２３６と、画面操作処理部２３８とを有する。
【００２４】
コントローラオペレーションシステム部２２０は、コントローラ６０で行う制御あるいは処理を管理、実行するメイン制御部である。アプリケーション部２３０は、ディスプレイ２０の表示面２２に画像を表示する表示制御や、ユーザＰＣ画面２８に画像を表示する表示制御を実行する。
【００２５】
アプリケーション部２３０のイベント信号判断部２３１は、コントローラオペレーションシステム部２２０から入力されるイベント信号を監視しており、入力されたイベント信号に応じた制御処理を行う。具体的には、コントローラオペレーションシステム部２２０は、ペン形入力装置１００のペン先１００Ａやペン尻１００Ｂが表示面２２に接触して筆記検知信号や消去検知信号を受信したとき、あるいは、ユーザーの指等の非発光体を検知したとき、その位置や動きに応じた図形や文字などの画像を表示面２２に重畳表示させるイベント信号をアプリケーション部２３０へ出力する。アプリケーション部２３０は、このイベント信号及びこれに関連づけられる各種データ（座標データ等）に従って、図形や文字などの画像を表示面２２に表示させる表示制御を実行する。
【００２６】
アプリケーション部２３０の映像入力処理部２３２は、ユーザＰＣ９０から入力される画像をディスプレイ２０の表示面２２のユーザＰＣ画面２８に表示するための表示制御を実行する。
【００２７】
アプリケーション部２３０の画像描画処理部２３４は、イベント信号判断部２３１を介してタッチセンサ装置２４から入力される座標データに基づいて画像（手書き画像）を生成する処理を行う。そして、既に表示されている画像に手書き画像を重畳してディスプレイ２０の表示面２２に表示させる表示制御を実行する。
【００２８】
アプリケーション部２３０の画面消去処理部２３６は、イベント信号判断部２３１を介してタッチセンサ装置２４から入力される座標データに基づいて、その座標データに対応する位置の画像を手書き画像に重畳される前の画像（背景色）に置き換えてディスプレイ２０の表示面２２に表示する表示制御を実行する。これにより、ディスプレイ２０に表示された手書き画像が表示面２２から消去される。
【００２９】
アプリケーション部２３０の画面操作処理部２３８は、コントローラオペレーションシステム部２２０から入力されるイベント信号がマウスイベントに係るものである場合、タッチセンサ装置２４から入力される座標データをポインティングデバイス信号に変換する。そして、ディスプレイ２０の表示面２２に表示される画面操作部２６のオン・オフ操作に対応した制御処理を実行する。
【００３０】
タッチセンサ装置２４の座標検出部３５０は、位置算出手段として機能し、ペン形入力装置１００やユーザーの指などが接する表示面２２上の位置座標を算出する。本実施形態の座標検出部３５０には、４つの受光部３１０，３２０，３３０，３４０が接続されている。座標検出部３５０は、４つの受光部３１０，３２０，３３０，３４０が受光する受光量の変化に基づいて、ペン形入力装置１００やユーザーの指等が表示面２２に接した位置座標を示す座標位置信号を出力する。
【００３１】
タッチセンサ装置２４の発光制御部３６０には、４つの発光部４１０，４２０，４３０，４４０が接続されている。発光制御部３６０は、各発光部４１０，４２０，４３０，４４０の駆動を制御する。
【００３２】
タッチセンサ装置２４のドライバ部２５０は、座標検出部３５０から入力される座標位置信号や、ペン信号受信部２１０から入力される筆記検知信号又は消去検知信号に基づき、イベント信号及びこれに関連づけられる各種データをコントローラオペレーションシステム部２２０に伝送する。例えば、ドライバ部２５０は、ペン信号受信部２１０でペン形入力装置１００より筆記検知信号又は消去検知信号が受信されると、その受信期間中に座標検出部３５０から入力されるペン形入力装置１００の座標位置信号の座標データと共に、筆記検知信号に対応する書込のイベント信号や消去検知信号に対応する消去のイベント信号を、コントローラオペレーションシステム部２２０に伝送する。
【００３３】
図６は、電子情報ボード１０に使用されるタッチセンサ装置２４の構成を示す模式図である。
本実施形態のタッチセンサ装置２４において、矩形状である表示面２２の四隅の角部近傍には、受光部３１０，３２０，３３０，３４０がそれぞれ配置されている。各受光部３１０，３２０，３３０，３４０は、ＣＣＤ（charge-coupled device）イメージセンサ、ＣＭＯＳ（Complementary Metal Oxide Semiconductor）イメージセンサ等からなる撮像素子と結像レンズとを備えて構成されている。
【００３４】
また、本実施形態のタッチセンサ装置２４において、表示面２２の四辺には、表示面２２の外縁に沿うように、長尺な発光部４１０，４２０，４３０，４４０がそれぞれ配置されている。各発光部４１０，４２０，４３０，４４０から照射される光によって、表示面２２の四辺から表示面が照明される。各発光部４１０，４２０，４３０，４４０から照射される光は、表示面２２に沿って進行し、４つの受光部３１０，３２０，３３０，３４０のうち、少なくとも、それぞれの対辺の両端に配置される２つの受光部に受光される。
【００３５】
次に、タッチセンサ装置２４における座標検出部３５０の座標検出処理について、非発光検知対象物として用いる場合のペン形入力装置１００のペン先１００Ａが発光部４１０，４２０，４３０，４４０からの光を遮断した位置を検知する場合について説明する。
ここで、本実施形態のタッチセンサ装置２４は、上述したように、ペン形入力装置１００を発光検知対象物として用いることもできる。そして、発光検知対象物であるペン形入力装置１００が接する表示面２２上の位置Ａと、非発光検知対象物であるユーザーの指２００が接する表示面２２上の位置とを、互いに区別して検知することも可能である。
【００３６】
なお、本実施形態では、複数のペン形入力装置１００が同時に表示面２２に接した場合や、複数の指２００が同時に表示面２２に接した場合にも、それぞれの位置を検知できるように、４つの受光部３１０，３２０，３３０，３４０を備えた構成である。ただし、単一のペン形入力装置１００及び単一の指２００を検知する場合、受光部が２つあれば足りるため、以下の説明では、簡略化のため、表示面２２の上辺両端に配置されている２つの受光部３１０，３２０の受光量から位置を検知する場合で説明する。
【００３７】
図７は、非発光検知対象物として用いたペン形入力装置１００が表示面上に接しているときのタッチセンサ装置の各受光部における受光状態の一例を示すグラフである。そして、図７（ａ）は、非発光検知対象物として用いたペン形入力装置１００が表示面２２上に接しているときの第一受光部３１０の受光状態の一例を示すグラフである。また、図７（ｂ）は、非発光検知対象物として用いたペン形入力装置１００が表示面２２上に接しているときの第二受光部３２０の受光状態の一例を示すグラフである。
本実施形態においては、表示面２２の四辺から表示面２２の内方に向けて各発光部４１０，４２０，４３０，４４０からそれぞれ略均一な光が照射されている。これにより、非発光検知対象物としてのペン形入力装置１００や指２００等が表示面に接していない状態においては、第一受光部３１０及び第二受光部３２０の撮像素子の全域にわたって略一定の光量ＬＣの光が受光される。
【００３８】
ここで、ペン形入力装置１００のペン先１００Ａで光が遮られる撮像素子上の撮像画素の位置と、受光部３１０，３２０が配置されている表示面２２の角部を中心とした、ペン形入力装置１００のペン先１００Ａで光が遮られる地点（ペン形入力装置１００が表示面２２に接している位置Ａ）の角度αＡ，βＡとの関係は、一義的に決まる。したがって、図７（ａ）及び（ｂ）に示すグラフでは、横軸に、対応する受光部３１０，３２０が配置される表示面２２の角部を中心とした角度をとり、縦軸に、その角度に対応する撮像画素位置で受光される光量をとっている。
【００３９】
非発光検知対象物として用いたペン形入力装置１００のペン先１００Ａが表示面２２に接すると、第一受光部３１０及び第二受光部３２０に入射する発光部４１０，４２０，４３０，４４０からの光が、ペン形入力装置１００のペン先１００Ａによって遮られる。これにより、ペン形入力装置１００のペン先１００Ａが接する表示面２２上の位置Ａに対応する撮像素子上の撮像画素で受光されていた発光部４１０，４２０，４３０，４４０からの光量が減る。このため、ペン形入力装置１００のペン先１００Ａによって遮られたときの受光量ＬＡは、各発光部４１０，４２０，４３０，４４０からの光を受光するときの受光量ＬＣよりも少なくなる。したがって、図７（ａ）及び（ｂ）に示すように、ペン形入力装置１００のペン先１００Ａによって遮られた光を受光するはずだった撮像画素の受光量ＬＡは、ペン形入力装置１００のペン先１００Ａによって遮られずに光を受光している撮像画素の受光量ＬＣよりも少なくなる。よって、受光量ＬＣと受光量ＬＡとの間で適切な閾値を設定することにより、ペン形入力装置１００のペン先１００Ａが表示面２２に接している位置の角度αA，βAを特定することができる。
【００４０】
具体的には、座標検出部３５０は、各受光部３１０，３２０から出力される受光信号（画像信号）に基づき、受光量ＬＣと受光量ＬＡとの間で設定される閾値ＬｔｈAを下回る受光量をもつ撮像画素の位置を抽出する。そして、抽出した撮像画素の位置に対応する角度αA，βAを算定し、これらの角度αA，βAから三角測量の手法により表示面２２上の位置座標を演算し、これをペン形入力装置１００のペン先１００Ａが表示面２２に接している接触位置Ａの座標として検出する。このようにして検出される接触位置Ａの座標位置信号は、座標検出部３５０からドライバ部２５０を経由してコントローラオペレーションシステム部２２０へ送られる。
ここで、非発光検知対象物であるユーザーの指２００が表示面２２に接した場合も、同様な処理が行われる。
【００４１】
ここで、２つの受光部３１０，３２０の受光信号だけでは、複数のペン形入力装置１００が同時に表示面２２に接した場合や、複数の指２００が同時に表示面２２に接した場合には、それぞれの位置に対応する角度を特定することができず、それぞれの位置を検知できない場合がある。一方、３つ以上の受光部を用いることで、２つの受光部３１０，３２０の受光信号からは特定できない位置も、残りの受光部３３０，３４０の受光信号を用いることで特定することが可能である。したがって、本実施形態のように４つの受光部３１０，３２０，３３０，３４０を備えた構成であれば、複数のペン形入力装置１００が同時に表示面２２に接した場合でも、複数の指２００が同時に表示面２２に接した場合でも、それぞれの位置を検知することが可能である。
【００４２】
次に、従来の位置検知装置で生じていた問題について、図を用いてより具体的に説明する。
図８は、従来型のタッチセンサ装置２４の発光部４１０ａ，４２０ａに備える導光体（導光板）の側面からの光の射出領域が途切れ、検知領域外縁部の小型化が困難な理由の説明図である。
従来の位置検知装置に備える、側面から光を射出して検知領域を照明する導光体は、その導光方向（長手方向）の少なくとも一端部外側に光源が設けられ、導光向方向に略直交する入光部の入射面に入射されるように構成されていた。
例えば、図８に示すように、従来型のタッチセンサ装置２４が、その検知領域である矩形状の表示面２２の外周の図８図中右下の隅に接する２辺に沿って発光部４１０ａ，４２０ａを設け、図８図中左上の隅の近傍に受光部３１０を設けているとする。そして、発光検知対象物として用いたペン形入力装置１００の光：ＬＰの発光や、発光部４１０ａに設けた導光体からの光：Ｌ１’の遮光の変化を受光部３１０で受光する。
【００４３】
このような従来の構成で、例えば、発光部４１０ａに設けた導光体の左端の入光部からは光源の光：Ｌ１が図８図中右方向へ入射され、発光部４２０ａに設けた導光体の下端の入光部からは光源の光：Ｌ２が図８図中上方方向へ入射される必要がある。
このため、各発光部４１０ａ，４２０ａの導光体の導光方向外側に配置される光：Ｌ１，Ｌ２の光源の配置位置に起因して、表示面２２の隅部近傍で互いに隣り合う導光体を連続的に配置できず、タッチセンサ装置２４のサイズを小さく保つことが困難であった。特に、表示面２２のサイズが大きくなると、導光体の光源や受光手段の数を増やす必要が生じるため、各導光体の検知領域からの離間距離を大きくせざるを得ず、装置全体のサイズの大型化に繋がってしまう。
特に、検知領域である表示面２２のサイズが大きくなると、発光部４１０ａ，４２０ａの導光体の光源や受光部の数を増やす必要が生じるため、各導光体の表示面２２からの離間距離を大きくせざるを得ず、タッチセンサ装置２４のサイズの大型化に繋がってしまう。
【００４４】
そこで、本実施形態の電子情報ボード１０では、導光体の側面からの光の射出領域の連続化が可能で、検知領域外縁部の小型化が可能な位置検知装置であるタッチセンサ装置２４を提供することを目的とした。つまり、導光体の端部まで光らせ、導光体同士を隙間無く接続し、小型化が可能なタッチセンサ装置２４を提供することを目的とした。
以下、本実施形態の電子情報ボード１０に備える位置検知装置であるタッチセンサ装置２４、タッチセンサ装置２４の各発光部４１０，４２０，４３０，４４０に設ける導光体の具体的な構成について説明する。
ここで、以下の説明では、各発光部４１０，４２０，４３０，４４０に設ける導光体の基本的な構成は同様であるので、タッチセンサ装置２４における配置位置等を説明する場合を除き、導光体６００として説明する。
【００４５】
図９は、導光体６００の内部を進行する光の進路と、入光部６５０における光の進路の説明図である。
図９に示すように、表示面２２の辺に沿って配置される長尺な導光体６００の導光方向（長手方向）の略中央に入光部６５０が設けられ、光源から照射された光（以下、光線６０３という。）が、図１０図中、下方の方向から入光部６５０の入射面６５１に入射される。
そして、入射面６５１から入射した光線６０３の進行方向下流側、つまり、入射面６５１の図９図中上方には、入射した光線６０３を表示面２２の外辺（外周）に沿うように反射させる反射面６１０が設けられており、光線６０３は図９図中、左右方向に全反射する。この反射面６１０は、図９に示すように、入光部６５０の、導光体６００の導光方向中央で左右対称な傾斜をもつ２つの傾斜面であり、図９に示す断面ではＶ字状に形成されている。
また、入光部６５０を除く導光体６００の外面は、入射された光線６０３が全反射して進行するように鏡面加工が施されており、各反射面６１０で全反射された光線６０３は導光体６００の両端部に向けて進行する。
【００４６】
図１０は、導光体６００の内部を進行する光線６０３の進路の説明図であり、図１０（ａ）が、入光部６５０の反射面６１０で反射された後の光線６０３の進路の説明図、図１０（ｂ）が、入光部６５０での光線６０３の進路の説明図である。ここで、実際には導光体６００内に入射される光線６０３は図１０（ｂ）に示すように放射状の進路を取るが、図１０（ａ）では、説明を簡略化するために、その一部を示している。
【００４７】
入光部６５０の反射面６１０で反射された光線６０３を導光する導光体６００の部分は、図１０（ａ）に示すように、導光体６００の長手方向（導光体６００の導光方向）に沿って、導光体６００の一側面が光拡散部となっている。具体的には、導光体６００における４つの側面のうち、表示面２２に対向する側面（光射出面６１２ａ）の反対側の側面が、複数の光拡散部分６６１が分布した光拡散部としての光拡散面６１２ｂとなっている。本実施形態における光拡散部分６６１は、導光体６００の光拡散面６１２ｂとなる側面上に、光拡散材を印刷等により付着させて形成される。しかし、このような形成方法に限定されるものではなく、例えば、導光体６００の光拡散面６１２ｂとなる側面の表面性状を粗くする疎面化処理を施して光拡散部分６６１を形成するなど、他の形成方法であってもよい。
【００４８】
反射面６１０で反射され、導光体６００の内部を進行する光線６０３は、光拡散面６１２ｂ上の光拡散部分６６１を除く側面部分では全反射を繰り返して、それぞれ導光方向へ進む。しかし、光拡散面６１２ｂ上の光拡散部分６６１では全反射されず、図１０（ａ）に示すように拡散反射する。光拡散部分６６１で拡散反射した拡散光の一部は、光拡散面６１２ｂに対向する光射出面６１２ａに入射し、その入射角が全反射角（臨界角）を超えている拡散光６０３ａ，６０３ｂ，６０３ｃが光射出面６１２ａを透過して導光体６００の外部へ射出される。本実施形態では、このような光拡散部分６６１が、入光部６５０の導光方向の領域を除く、表示面２２の下辺と対面している導光体６００の光射出面６１２ａに対向する光拡散面６１２ｂの全域にわたって分布している。このため、導光体６００の光射出面６１２ａは、表示面２２の下辺の入光部６５０の導光方向の領域を除く、全域から表示面２２の内方に向けて、入光部６５０の入射面６５１から入射した光線６０３が照射される。
【００４９】
一方、赤外ＬＥＤ等からなる光源６６２から、入光部６５０の入射面６５１に入射した光線６０３は、図１０（ｂ）に示すように、入光部６５０に設けられた各反射面６１０で、それぞれ放射状に反射される。
ここで、全反射角（臨界角）は導光体６００を構成する材質によって異なるが、一般的に導光体に使用されるアクリルでは、臨界角は４２．２度である。
光拡散部分６６１で拡散反射された拡散光６０３ａ，６０３ｂ，６０３ｃの一部は、受光部３１０，３２０，３３０，３４０の少なくともいずれかに到達することとなる。
【００５０】
しかし、導光体６００に入射された光線６０３が、導光体６００の導光方向の略中央に設けられた入光部６５０の各反射面６１０で全て全反射する場合、導光体６００の導光方向、入光部６５０の領域だけ表示面２２の内方に向けて照射（発光）されなくなる。
そこで、導光体６００の導光方向の反射面６１０を設けた領域（入光部６５０の領域）の一部は、光線６０３を反射せず、透過させる必要がある。
このため、本実施形態の導光体６００では、導光体６００の導光方向の反射面６１０を設けた領域の一部に、光源６６２から入射した光線６０３の一部を透過させる構成を設けることとした。
【００５１】
図１１は、入光部６５０に設けられた反射面６１０近傍の説明図であり、図１１（ａ）が、入光部６５０に設けられた反射面６１０近傍の斜視説明図、図１１（ｂ）が、入光部６５０に設けられた反射面６１０近傍の断面説明図である。図１２は、本実施形態に係る発光部４１０，４２０，４３０，４４０の導光体６００ａ，６００ｂ，６００ｃ，６００ｄを連続させ、タッチセンサ装置２４を小型化できる理由の説明図である。
導光体６００の導光方向の各反射面６１０を設けた領域の一部に、光源６６２から入射した光線６０３の一部を透過させる構成としては、例えば、図１１に示すような構成が挙げられる。
図１１（ａ）に示すように、導光体６００の導光方向の各反射面６１０を設けた領域の、各反射面６１０に直交する導光体６００の一方の側面側に、入射面６５１から入射した光線６０３に対して直交する透過面６１１を形成する。そして、入射面６５１から入射した光線６０３の一部を、透過面６１１から透過光線６０３ｄとして透過させる構成である。
【００５２】
このような透過面６１１を、導光体６００の導光方向の各反射面６１０を設けた領域に形成することで、透過面６１１に到達する入射面６５１から入射した光線６０３の一部である透過光線６０３ｄは、図１１（ｂ）に示すように直進して透過面６１１を透過する。
これにより、導光体６００に入射された光線６０３が、導光体６００の導光方向の略中央に設けられた入光部６５０の各反射面６１０で全て全反射する場合でも、導光体６００の導光方向、入光部６５０の領域でも表示面２２の内方に向けて照射されることとなる。
以上の構成により、導光体６００の導光方向の略中央に設けた入光部６５０の入射面６５１から入射した光線６０３は、導光体６００の導光方向（長手方向）の全域から表示面２２の内方に向けて照射される。そして、導光体６００の導光方向の全域から表示面２２の内方に向けて照射された入光部６５０の入射面６５１から入射した光線６０３は、図１２に示す受光部３１０，３２０，３３０，３４０の少なくともいずれかに到達することとなる。
【００５３】
上述したように、本実施形態のタッチセンサ装置２４は、導光体６００の光射出面６１２ａから光を射出して表示面２２を照明する。そして、表示面２２に照明された光を受光する受光部３１０，３２０，３３０，３４０の受光量の低下に基づいて、表示面２２の内に存在するペン形入力装置１００のペン先１００Ａの位置を検知するものである。加えて、導光体６００で導かれる光線６０３の光源６６２は、導光体６００の長手方向の略中央に配置され、導光体６００は、光源６６２から入射した光を長手方向の端部に向けて全反射する反射面６１０が設けられている。
【００５４】
このように構成することで、次のような効果を奏することができる。
光源６６２から光線６０３を入光する入光部６５０を導光体６００の長手方向の略中央部に配置し、導光方向に略直交する光線６０３を入射し、導光体６００に入射された光線６０３を導光方向に沿うように全反射する反射面６１０を設けるができる。このような反射面６１０を導光体６００の長手方向の略中央に配置することで、導光体６００の端部まで、導光体６００の光射出面６１２ａから入射した光線６０３を射出させ、表示面２２の隅部近傍で互いに隣り合う導光体６００同士を端部で接続することができる。
また、図１２に示すように、導光体６００の入光部６５０に入射する光線６０３の光源６６２の配置位置と、受光部３１０，３２０，３３０，３４０の配置位置とを異ならせることができ、装置全体のサイズを小さく保つことができる。
【００５５】
よって、表示面２２の隅部近傍で互いに隣り合う導光体６００を連続的に配置でき、装置全体のサイズを小さく保つことができるタッチセンサ装置２４を提供できる。
また、大サイズのディスプレイ２０（８５インチ相当）でも、表示面２２の外周部に設けられた導光体６００を、表示面２２の四辺近傍にそれぞれ設けた導光体６００ａ，６００ｂ，６００ｃ，６００ｄの中央からの光源６６２で、連続的に発光させることができる。
【００５６】
また、本実施形態のタッチセンサ装置２４は、導光体６００の長手方向の反射面６１０が設けられた入光部６５０の領域には、光源６６２から入射した光線６０３が略直交して透過する透過面６１１が形成されている。
このように構成することで、導光体６００の長手方向の反射面６１０が設けられた領域に透過面６１１に形成し、この形成した透過面６１１から入射した光線６０３が透過した透過光線６０３ｄを射出できる。このため、反射面６１０を設けた導光体６００の長手方向領域の光射出面６１２ａから透過光線６０３ｄが射出されないことを防止できる。
【００５７】
また、本実施形態のタッチセンサ装置２４は、透過面６１１が、表示面２２に拡散光６０３ａ，６０３ｂ，６０３ｃを射出して照明する導光体６００の光射出面６１２ａと同一面上にある。加えて、反射面６１０に直交する導光体６００の少なくとも一方の側面と反射面６１０を設けた領域との間に形成されている。
このように構成することで、反射面６１０を設けた導光体６００の長手方向領域の光射出面６１２ａから光源６６２から入射した光線６０３が射出されないことを防止できる。同時に、反射面６１０を設けた導光体６００の長手方向の略中央の強度不足を補うこともできる。
【００５８】
次に、導光体６００の導光方向の反射面６１０を設けた領域の一部に、光源６６２から入射した光線６０３の一部を透過させる構成の別例について説明する。
図１３は、導光体６００の長手方向の反射面６１０を設けた領域の一部に、光源６６２から入射した光線６０３の一部を透過させる別例の説明図である。
【００５９】
別例の構成では、図１３に示すように、反射面６１０の一部である透過部６２０を鏡面仕上げとせず、透過部６２０の部分では、光線６０３を全反射させないことにより、光線６０３を透過させる。
すなわち、本実施形態のタッチセンサ装置２４は、反射面６１０の一部に、光源６６２から入射した光線６０３を透過する透過部６２０が形成されている。
このように構成することで、次のような効果を奏することができる。
入射した光線６０３が透過する透過部６２０を反射面６１０の一部に形成し、この形成した透過部６２０から入射した光線６０３を透過することができ、反射面６１０を設けた導光体６００の長手方向領域の光射出面６１２ａから光が射出されないことを防止できる。
【００６０】
また、透過部６２０の具体的な構成としては、次のようなものが挙げられる。
一つ目は、反射面６１０に形成される透過部６２０が、反射面６１０の一部の表面への拡散材印刷により形成される構成である。
このように構成することで、次のような効果を奏することができる。
入射した光線６０３が全反射しない部分を反射面６１０の一部に形成し、この形成した透過部６２０から入射した光線６０３を透過することができ、反射面６１０を設けた導光体６００の長手方向領域の光射出面６１２ａから光が射出されないことを防止できる。
【００６１】
二つ目は、反射面６１０に形成された透過部６２０が、反射面６１０の一部の表面に疎面化処理を施して粗くすることで形成される構成である。
このように構成することで、次のような効果を奏することができる。
入射した光線６０３が全反射しない部分を反射面６１０の一部に形成し、この形成した透過部６２０から入射した光線６０３を透過することができ、反射面６１０を設けた導光体６００の長手方向領域の光射出面６１２ａから光が射出されないことを防止できる。
【００６２】
三つ目は、反射面６１０に形成された透過部６２０が、反射面６１０の一部に、光源６６２から入射した光線６０３が略直交する形状部が形成される構成である。
このように構成することで、次のような効果を奏することができる。
入射した光線６０３が略直交する形状部を反射面６１０に形成し、この形成した形状部から入射した光線６０３を透過することができ、反射面６１０を設けた導光体６００の長手方向領域の光射出面６１２ａから光が射出されないことを防止できる。
【００６３】
また、上述したように本実施形態の電子情報ボード１０は、画像を表示する表示面２２と、表示面２２上の任意の位置を指すペン形入力装置１００のペン先１００Ａの位置座標を検知する位置検知手段と、を備える。そして、位置検知手段として、上述したいずれかのタッチセンサ装置２４を備える。
このように構成することで、上述したいずれかのタッチセンサ装置２４と同様な効果を奏することができる電子情報ボード１０を提供できる。
【００６４】
また、上述したように本実施形態の導光体６００は、光源６６２の光線６０３を導光する導光方向に沿った長手方向の光射出面６１２ａから、拡散した拡散光６０３ａ，６０３ｂ，６０３ｃを射出して表示面２２を照明する。そして、光源６６２は、長手方向の略中央に配置されており、光源６６２から入射した光線６０３を長手方向の端部に向けて全反射する反射面６１０が設けられている。
このように構成することで、照明対象としての表示面２２の隅部近傍で互いに隣り合う導光体６００を連続的に配置でき、これを用いるタッチセンサ装置２４の装置全体のサイズを小さく保つことができる導光体６００を提供できる。
【００６５】
以上、本実施形態の電子情報ボード１０について、図面を参照しながら説明してきたが、具体的な構成は、上述した本実施形態の導光体６００や、タッチセンサ装置２４を備えた構成に限られるものではなく、要旨を逸脱しない範囲の設計の変更等を行っても良い。
【００６６】
以上に説明したものは一例であり、次の態様毎に特有の効果を奏する。
（態様Ａ）
導光体６００などの導光体の光射出面６１２ａなどの側面から拡散光６０３ａ，６０３ｂ，６０３ｃなどの光を射出して表示面２２などの検知領域を照明し、前記検知領域に照明された光を受光する受光部３１０，３２０，３３０，３４０などの受光手段の受光量の低下に基づいて、前記検知領域の内に存在するペン形入力装置１００のペン先１００Ａなどの検知対象物の位置を検知するタッチセンサ装置２４などの位置検知装置において、前記導光体で導かれる光線６０３などの光の光源６６２などの光源は、前記導光体により導かれる光の導光方向に沿った長手方向の略中央に配置されており、前記導光体は、前記光源から入射した光を前記長手方向の端部に向けて全反射する反射面６１０などの反射面が設けられていることを特徴とする。
【００６７】
これによれば、本実施形態で説明したように、次のような効果を奏することができる。
従来の位置検知装置に備える、側面から光を射出して検知領域を照明する導光体は、その導光方向（長手方向）の少なくとも一端部外側に光源が設けられ、導光向方向に略直交する入光部の入射面に入射されるように構成されていた。
このため、各導光体の導光方向外側に配置される光源の配置位置に起因して、矩形状の検知領域の隅部近傍で互いに隣り合う導光体を連続的に配置できず、装置全体のサイズを小さく保つことが困難であった。特に、検知領域のサイズが大きくなると、導光体の光源や受光手段の数を増やす必要が生じるため、各導光体の検知領域からの離間距離を大きくせざるを得ず、装置全体のサイズの大型化に繋がってしまう。
【００６８】
一方、本（態様Ａ）の構成では、光源から光を入光する入光部６５０などの入光部を導光体の長手方向の略中央部に配置し、導光方向に略直交する光を入射し、導光体に入射された光を導光方向に沿うように全反射する反射面を設けるができる。このような反射面を導光体の長手方向の略中央に配置することで、導光体の端部まで、導光体の光射出面６１２ａなどの側面から入射した光を射出させ、検知領域の隅部近傍で互いに隣り合う導光体同士を端部で接続することができる。
また、導光体の入光部に入射する光の光源の配置位置と、受光手段の配置位置とを異ならせることができ、装置全体のサイズを小さく保つことができる。
よって、検知領域の隅部近傍で互いに隣り合う導光体を連続的に配置でき、装置全体のサイズを小さく保つことができる位置検知装置を提供できる。
【００６９】
（態様Ｂ）
（態様Ａ）において、前記導光体の前記長手方向の前記反射面が設けられた入光部６５０などの領域には、前記光源から入射した光が略直交して透過する透過面６１１などの透過面が形成されていることを特徴とする。
これによれば、本実施形態で説明したように、導光体の長手方向の反射面が設けられた領域に透過面に形成し、この形成した透過面から入射した光を透過することができる。このため、反射面を設けた導光体の長手方向領域の側面から光が射出されないことを防止できる。
【００７０】
（態様Ｃ）
（態様Ｂ）において、前記透過面は、前記検知領域に光を射出して照明する前記導光体の側面と同一面上にあり、前記反射面に直交する前記導光体の少なくとも一方の側面と前記反射面を設けた領域との間に形成されていることを特徴とする。
これによれば、本実施形態で説明したように、反射面を設けた導光体の長手方向領域の側面から光が射出されないことを防止できるとともに、反射面を設けた導光体の長手方向の略中央の強度不足を補うことができる。
【００７１】
（態様Ｄ）
（態様Ａ）において、前記反射面の一部に、前記光源から入射した光を透過する透過部６２０などの透過部が形成されていることを特徴とする。
これによれば、本実施形態で説明したように、入射した光が透過する部分を反射面の一部に形成し、この形成した部分から入射した光が透過した光を射出できる。このため、反射面を設けた導光体の長手方向領域の側面から光が射出されないことを防止できる。
【００７２】
（態様Ｅ）
（態様Ｄ）において、前記反射面に形成された前記透過部は、前記反射面の一部の表面への拡散材印刷により形成されていることを特徴とする。
【００７３】
これによれば、本実施形態で説明したように、入射した光が全反射しない部分を反射面の一部に形成し、この形成した部分から入射した光を透過することができ、反射面を設けた導光体の長手方向領域の側面から光が射出されないことを防止できる。
【００７４】
（態様Ｆ）
（態様Ｄ）において、前記反射面に形成された前記透過部は、前記反射面の一部の表面を疎面化処理を施すなどして粗くすることで形成されていることを特徴とする。
【００７５】
これによれば、本実施形態で説明したように、入射した光が全反射しない部分を反射面の一部に形成し、この形成した部分から入射した光を透過することができ、反射面を設けた導光体の長手方向領域の側面から光が射出されないことを防止できる。
【００７６】
（態様Ｇ）
（態様Ｄ）において、前記反射面に形成された前記透過部は、前記反射面の一部に、前記光源から入射した光が略直交する形状部が形成されていることを特徴とする。
これによれば、本実施形態で説明したように、入射した光が略直交する形状部を反射面に形成し、この形成した形状部から入射した光を透過することができ、反射面を設けた導光体の長手方向領域の側面から光が射出されないことを防止できる。
【００７７】
（態様Ｈ）
画像を表示する表示面２２などの表示部と、該表示部上の任意の位置を指すペン形入力装置１００のペン先１００Ａなどの検知対象物の位置座標を検知する位置検知手段と、を備える電子情報ボード１０などの画像表示装置において、前記位置検知手段として、（態様Ａ）乃至（態様Ｇ）のいずれかのタッチセンサ装置２４などの位置検知装置を備えることを特徴とする。
これによれば、本実施形態で説明したように、（態様Ａ）乃至（態様Ｇ）のいずれかの位置検知装置と同様な効果を奏することができる画像表示装置を提供できる。
【００７８】
（態様Ｉ）
光源６６２などの光源の光線６０３などの光を導光する導光方向に沿った長手方向の光射出面６１２ａなどの側面から、導光した光を射出して表示面２２などの照明対象を照明する導光体６００などの導光体において、前記光源は、前記長手方向の略中央に配置されており、前記光源から入射した光を前記長手方向の端部に向けて全反射する反射面６１０などの反射面が設けられていることを特徴とする。
これによれば、本実施形態で説明したように、照明対象の隅部近傍で互いに隣り合う導光体を連続的に配置でき、これを用いるタッチセンサ装置２４などの装置全体のサイズを小さく保つことができる導光体を提供できる。
【符号の説明】
【００７９】
１０    電子情報ボード
２０    ディスプレイ
２２    表示面
２４    タッチセンサ装置
１００    ペン形入力装置
１００Ａ  ペン先
１００Ｂ  ペン尻
３１０，３２０，３３０，３４０  受光部
４１０，４２０，４３０，４４０  発光部
６００    導光体
６０３    光線
６０３ａ，ｂ，ｃ  拡散光
６０３ｄ  透過光線
６１０    反射面
６１１    透過面
６１２ａ  光射出面
６１２ｂ  光拡散面
６２０    透過部
６５０    入光部
６５１    入射面
６６１    光拡散部分
６６２    光源
【先行技術文献】
【特許文献】
【００８０】
【特許文献１】特許第５４１５９５４号公報
【図１】
2018142142.tif 000003
【図２】
2018142142.tif 000004
【図３】
2018142142.tif 000005
【図４】
2018142142.tif 000006
【図５】
2018142142.tif 000007
【図６】
2018142142.tif 000008
【図７】
2018142142.tif 000009
【図８】
2018142142.tif 000010
【図９】
2018142142.tif 000011
【図１０】
2018142142.tif 000012
【図１１】
2018142142.tif 000013
【図１２】
2018142142.tif 000014
【図１３】
2018142142.tif 000015